(57)【要約】【課題】給水タンクの変形を抑制しつつ、加湿装置が備えるデザイン性やインテリア性を向上させる加湿装置を提供すること。【解決手段】本体ケース１に着脱自在に装着され、加湿装置の外装の一部を形成する給水タンク２と、平板状の導光部材を用いて形成され、対向する幅狭面がそれぞれ給水タンク２の内部に当接するように取り付けられる支持部材１０と、本体ケース１と給水タンク２との装着面５に設けられ、給水タンク２と支持部材１０との当接部に光を照射する光源６と、を備える。【選択図】図３
0003209579.tif 000002
【実用新案登録請求の範囲】
【請求項１】
本体ケースに着脱自在に装着され、加湿装置の外装の一部を形成する給水タンクと、平板状の導光部材を用いて形成され、対向する幅狭面がそれぞれ前記給水タンクの内部に当接するように取り付けられる支持部材と、前記本体ケースと前記給水タンクとの装着面に設けられ、前記給水タンクと前記支持部材との当接部に光を照射する光源と、を備えることを特徴とする加湿装置。
【請求項２】
前記支持部材は、前記給水タンクの内部で立設するように取り付けられ、前記光源は、前記給水タンクの側面と対向する前記装着面に設けられることを特徴とする請求項１記載の加湿装置。
【請求項３】
前記光源は、前記装着面の高さ方向に複数配列されることを特徴とする請求項２記載の加湿装置。
【請求項４】
前記支持部材は、複数の導光部材を前記給水タンクの高さ方向に配列して構成されることを特徴とする請求項３記載の加湿装置。
【考案の詳細な説明】
【技術分野】
【０００１】
本考案は、室内の乾燥を防止するための加湿装置であって、特に着脱自在な樹脂製の給水タンクを備える加湿装置に関するものである。
【背景技術】
【０００２】
従来、着脱自在な給水タンクと、この給水タンクから供給された水を貯える水槽部を備えた加湿装置が一般に使用されている。このような加湿装置においては、加湿運転により水槽部の水が消費されると、給水タンクから水槽部へ水が供給されて、水槽部には常に一定の水が貯えられるようになっている。そして、外部から給水タンク内部の水量が容易に確認できるよう、給水タンクを透明もしくは半透明の合成樹脂から形成するとともに、給水タンクが加湿装置の外装の一部を形成するようにしたものがある。
【０００３】
また、給水タンクから水槽部へ水が供給されることで給水タンク内部は負圧となるため、給水タンクには内側に凹ませるような力が作用することになり、給水タンクの形状によってはこの力により凹んでしまうことがある。特に、給水タンクが外装の一部を形成するような構造の場合には、給水タンクが凹むことにより外観が損なわれてしまう。この問題を解消するために、特許文献１のように給水タンクの内部に給水タンクの変形を抑制する支持部材を取り付けるようにしたものがある。
【先行技術文献】
【特許文献】
【０００４】
【特許文献１】特開２０１４−２０５６５号公報
【考案の概要】
【考案が解決しようとする課題】
【０００５】
ところが、特許文献１のような透明もしくは半透明の給水タンクの場合には、給水タンク内部に取り付けられた支持部材が外部に透けて使用者に見えてしまう。したがって、支持部材によって給水タンクの凹みの問題を解消できたとしても、この支持部材が見えてしまうことで加湿装置が備える外観のデザイン性や室内に置いたときのインテリア性が損なわれてしまうという新たな問題が生ずる恐れがある。
【０００６】
本考案は上記課題を解決するためのもので、給水タンクの変形を抑制しつつ、加湿装置が備えるデザイン性やインテリア性を向上させる加湿装置を提供することを目的とする。
【課題を解決するための手段】
【０００７】
本考案は、本体ケースに着脱自在に装着され、加湿装置の外装の一部を形成する給水タンクと、平板状の導光部材を用いて形成され、対向する幅狭面がそれぞれ前記給水タンクの内部に当接するように取り付けられる支持部材と、前記本体ケースと前記給水タンクとの装着面に設けられ、前記給水タンクと前記支持部材との当接部に光を照射する光源と、を備えることを特徴とする加湿装置に係わるものである。
【０００８】
また、前記支持部材は、前記給水タンクの内部で立設するように取り付けられ、前記光源は、前記給水タンクの側面と対向する前記装着面に設けられることを特徴とする請求項１記載の加湿装置に係わるものである。
【０００９】
また、前記光源は、前記装着面の高さ方向に複数配列されることを特徴とする請求項２記載の加湿装置に係わるものである。
【００１０】
また、前記支持部材は、複数の導光部材を前記給水タンクの高さ方向に配列して構成されることを特徴とする請求項３記載の加湿装置に係わるものである。
【考案の効果】
【００１１】
上述の構成にすることにより、給水タンクの変形を抑制しつつ、加湿装置が備えるデザイン性やインテリア性を向上させる加湿装置を提供することができる。
【図面の簡単な説明】
【００１２】
【図１】本考案の加湿装置の外観斜視図である。
【図２】本考案の給水タンクの縦断面構成図である。
【図３】本考案の加湿装置における支持部材への光の進み方について説明する要部断面図である。
【図４】本考案の他の実施例における加湿装置の要部断面図である。
【図５】本考案のさらに他の実施例における加湿装置の要部断面図である。
【考案を実施するための形態】
【００１３】
好適と考える本考案の最良の形態を、本考案の作用効果を示して簡単に説明する。
【００１４】
本考案の加湿装置は、給水タンクの変形を抑制するための支持部材を、対向する幅狭面を給水タンクの内部に当接するように取り付け、この当接部に光が照射されるように、本体ケースと給水タンクとの装着面に光源を設けたものである。つまり、給水タンクの変形を抑制する支持部材を介して給水タンクを光らせるようにしたので、支持部材を取り付けても加湿装置が備えるデザイン性やインテリア性を損なうことがなく、さらには加湿運転中や警告時などに光らせて使用者への視覚アピールを高めることで機能性を向上させることができる。
【００１５】
また、給水タンクが本体ケースに装着された状態で、給水タンク内部に支持部材を立設させるとともに、その給水タンク側面と対向する装着面に光源を設けることで、幅狭面よりも面積の大きい発光面が給水タンク側面を向くので、この大きな発光面が使用者から見えやすくなる。これにより、特に座っている人への視覚アピールを高めることができる。
【００１６】
また、光源を装着面の高さ方向に複数配列したので、光源ごとに点灯あるいは消灯を交互に組み合わせて支持部材全体の輝度を変えたり、光源ごとに色を変えたりすることで、給水タンクにイルミネーション効果を持たせることができる。
【００１７】
また、支持部材を、給水タンクの高さ方向に配列した複数の導光部材によって構成したので、導光部材をそれぞれ独立させて光らせることができるようになり、導光部材の発光枚数や色の変化を組み合わせたイルミネーション効果を持たせたり、加湿能力の大小などの運転状態を支持部材にバーグラフのように表示させたりすることが可能となる。
【実施例１】
【００１８】
以下、本考案の一実施例を図面により説明する。
【００１９】
図１は本考案における加湿装置の外観を示した図である。加湿装置は、本体ケース１の正面および側面前部を形成する本体ケース前枠１ａ、側面後部および背面を形成する本体ケース後枠１ｂを有しており、さらに、加湿装置に水を供給する給水タンク２と、給水タンク２から供給される水を一定量貯える水槽部３とを備えている。水槽部３は本体ケース１に引き出し可能に設けられるとともに、給水タンク２は水槽部３に対して上から着脱自在に設けられている。また、本体ケース１の上面には加湿空気を吹き出す吹出口４が設けられる。
【００２０】
また、本体ケース１には、給水タンク２装着時に給水タンク２側面と本体ケース１とが接する装着面としてのタンク装着面５を有している。このタンク装着面５には、本体ケース１を形成する本体ケース前枠１ａと本体ケース後枠１ｂとの合わせ目１ｃが高さ方向にわたって形成されている。この合わせ目１ｃに沿って、給水タンク２内部の後述する支持部材１０を照射する光源６が配設される。なお、合わせ目１ｃを形成する本体ケース前枠１ａと本体ケース後枠１ｂには、光源６の形状に合わせた凹凸を設け、この凹凸で光源６を両側から挟みこんで固定する構造とする。光源６には、例えば蛍光管や直管ＬＥＤライト、有機ＥＬシートなど、照射される支持部材１０の高さに合わせて細長形状のものが用いられる。
【００２１】
図２は給水タンク２の縦断面構成図である。給水タンク２は、略直方体形状で、内部の水量が透視できるように透明もしくは半透明の合成樹脂から形成されている。給水タンク２の上面には給水タンク２を持ち運ぶ際に手を掛けるための取手７が形成されており、底面には給水タンク２内に水を補給するための給水口８が開口されている。また、給水口８にはタンクキャップ９が着脱自在に取り付けられる構成となっている。そして、給水タンク２は、水槽部３に装着した際に自立するよう、水槽部３内に給水口８およびタンクキャップ９が挿入された状態で水槽部３上に載置されて、それ以外の部分は露出して加湿装置の外装の一部を形成している。
【００２２】
給水タンク２の内部には、給水タンク２の側面が変形して凹むのを抑制する支持部材１０が取り付けられている。支持部材１０は、アクリル樹脂などからなる透明な導光部材により形成され、図２に示すような板状の部材であるので幅広面１０ａと幅狭面１０ｂ１、１０ｂ２を有する。そして、支持部材１０の対向する幅狭面１０ｂ１、１０ｂ２が、給水タンク２の内側面と当接するように給水タンク２内部に取り付けられており、本体ケース１に給水タンク２が装着された状態においては支持部材１０は給水タンク２内部に立設する。この支持部材１０は、幅狭面１０ｂ１、１０ｂ２を給水タンク２内側面に溶着あるいは接着することによって給水タンク２内部に固定される。また、給水タンク２装着時において、給水タンク２内側面と支持部材１０の幅狭面１０ｂ１とが当接する部分には光源６が重なるように配設されている。
【００２３】
支持部材１０の上端部は、取手７と干渉しないように給水タンク２上面とは任意の距離を離して設けている。なお、取手７を給水タンク２上面以外の部分に形成するのであれば、支持部材１０の上端部を給水タンク２上面まで延設させてもよい。また、支持部材１０の下端部についても給水タンク２底面から任意の距離を離して設けており、この隙間があることで支持部材１０で区切られた給水タンク２の空間の間で水が流通する。なお、支持部材１０の下端部の形状については、支持部材１０で区切られた空間の間で水が流通できればよく、例えば支持部材１０の下端部を給水タンク２底面まで延設させ、この支持部材１０の下端部に切り欠き孔を設けることによって水の流通を可能にするものであってもよい。
【００２４】
このような給水タンク２においては、加湿運転により水槽部３の水が消費されると、給水タンク２から水槽部３へ水が供給されて、水槽部３には常に一定の水が貯えられるようになっている。そして、水槽部３へ水が供給されることで給水タンク２内部は負圧となるため、給水タンク２には側面に対して内側に凹ませるような力が加わる。この力により給水タンク２の側面は凹むように変形しようとするが、内部に設けられた支持部材１０が支えになるため、給水タンク２の凹みを抑制することができる。
【００２５】
また、給水タンク２が凹むことにより、給水タンク２内部が負圧の状態で維持されるため、給水タンク２内に空気が入り込みにくくなって、給水タンク２内部の水と空気の交換頻度が減ってしまう。そのため、一度に大量の空気が給水タンク２に導入されるようになり、この気泡が水中を上昇して水面で弾ける際に大きな音が発生し、使用者に不快感を与える恐れがあったが、支持部材１０により給水タンク２の凹みが抑えられることで、給水タンク２内部の水と空気の交換が正常に行われるので、気泡は小さくなり、気泡の発生音も低減される。
【００２６】
次に、支持部材１０に照射された光の進み方について図３を用いて説明する。なお、図中に示した矢印は支持部材１０内部を透過する光の進行方向である。このような加湿装置においては、図示しないマイコンなどの制御部が光源６を点灯させ、タンク装着面５にて接する給水タンク２側面を照射する。光源６から照射された光は、給水タンク２内側面と当接する照射面側の幅狭面１０ｂ１より入射し、対向する幅狭面１０ｂ２に向かって支持部材１０の内部を直進する。これにより、幅狭面１０ｂ２の表面を光らせることができる。また、幅狭面１０ｂ２から見える光よりも低い輝度ではあるが、光の進行方向と平行な面である幅広面１０ａも光らせることができる。
【００２７】
このように、支持部材１０の幅広面１０ａおよび幅狭面１０ｂ２を介して給水タンク２を光らせるようにしたので、給水タンク２の変形を抑制する支持部材１０を取り付けても、加湿装置が備える外観のデザイン性や室内に置いたときのインテリア性を損なうことがない。また、加湿運転中であることを使用者へ視覚的にアピールすることができる。
【００２８】
そして、加湿運転中に光源６を点灯させれば加湿運転中であることを使用者にアピールすることができる。発光タイミングに関してはこの他にも、給水タンク２への水の補給を促す給水報知などの警告を知らせる手段としてもよいし、使用者の操作によって任意に光源６の点灯および消灯を切り換えできるようにして室内の装飾効果をもたらすものであってもよい。これにより、使用者への視覚アピールを高めることで加湿装置の機能性を向上させることができる。
【００２９】
また、本体ケース１に給水タンク２が装着された状態で、給水タンク２内部に支持部材１０を立設させるとともに、タンク装着面５に光源６を配設したので、照射面側の幅狭面１０ｂ１から幅狭面１０ｂ２に向かって直進する光の進行方向と平行な幅広面１０ａを発光させることができる。つまり、面積の大きい幅広面１０ａが給水タンク２側面を向くので、発光する幅広面１０ａが使用者から見えやすくなる。これにより、特に座っている人への視覚アピールを高めることができる。
【実施例２】
【００３０】
また、他の実施例として、図４に示した加湿装置の要部断面図に基づき説明する。なお、ここでは実施例１と異なる点についてのみ説明する。
【００３１】
本体ケース１には、タンク装着面５の高さ方向にわたって形成される合わせ目１ｃに沿って、光源６が複数配列される。光源６には、例えば小型のＬＥＤランプなどが用いられ、照射される支持部材１０の高さに合わせて所定の間隔で配列される。また、この光源６は、給水タンク２装着時において、給水タンク２内側面と支持部材１０の幅狭面１０ｂ１、１０ｂ２とが当接する部分と重なる位置に配設されている。
【００３２】
このように、光源６をタンク装着面５の高さ方向に複数配列したことで、例えば光源６ごとに点灯あるいは消灯を交互に組み合わせて支持部材１０全体の輝度を変えたり、光源６ごとに色を変えたりできるので、給水タンク２にイルミネーション効果を持たせてインテリア性を向上させることができる。
【実施例３】
【００３３】
また、他の実施例として、図５に示した加湿装置の要部断面図に基づき説明する。なお、ここでは実施例２と異なる点についてのみ説明する。
【００３４】
給水タンク２の内部に取り付けられる支持部材１０は、導光部材からなる複数の導光部１１と、不透明あるいは半透明の合成樹脂からなる非導光部１２とを、給水タンク２の高さ方向に交互に配列させて１枚の板状に貼り合わせることで構成される。また、導光部１１は、発光させる用途に合わせて高さ方向の幅を任意に設定する。ただし、この幅が広すぎると、隣接する非導光部１２に近づくほど光が届きにくく暗くなるので、光源６の大きさや強さに合わせて適宜設定するとよい。このように構成された支持部材１０は、対向する幅狭面１０ｂ１、１０ｂ２が給水タンク２の対向する内側面とそれぞれ当接するように給水タンク２内部に取り付けられる。
【００３５】
なお、非導光部１２は、その両側に隣接する導光部１１へ光が透過しないよう、導光部１１間を分割するために設けられるものであり、光が透過しなければ非導光部１２の形状を限定するものではない。例えば、非導光部１２としては別部品を設けずに、隣り合う導光部１１同士を貼り合わせ、この貼り合わせ面にシボ加工を施して凹凸面としたり、不透光性の塗料を塗布したりしてもよい。さらには、隣り合う導光部１１同士を貼り合わせず、それぞれの導光部１１の間にクリアランスを設けた状態で給水タンク２内部に取り付けることで導光部１１間を分割するものであってもよい。
【００３６】
また、本体ケース１には、タンク装着面５の高さ方向にわたって形成される合わせ目１ｃに沿って、光源６が所定の間隔で複数配列される。この複数の光源６は、非導光部１２により複数の面に分割された導光部１１のそれぞれに光を照射できるように、導光部１１の配置に合わせて配設される。
【００３７】
このように、支持部材１０を構成する導光部１１を給水タンク２の高さ方向に分割し、各導光部１１ごとに光を照射できるように複数の光源６を配しているので、複数の導光部１１をそれぞれ独立させて光らせることができる。これにより、支持部材１０において、導光部１１の発光枚数や色の変化を組み合わせたイルミネーション効果を持たせることができる。さらには、導光部１１の発光枚数と加湿運転制御とを連動させることで、例えば加湿能力の大小などの運転状態や室内湿度の高低などの環境状態を導光部１１によってバーグラフのように表示させたりすることが可能となるので、加湿装置の機能性を向上させることができる。
【符号の説明】
【００３８】
１    本体ケース
２    給水タンク
５    装着面（タンク装着面）
６    光源
１０    支持部材
【図１】
0003209579.tif 000003
【図２】
0003209579.tif 000004
【図３】
0003209579.tif 000005
【図４】
0003209579.tif 000006
【図５】
0003209579.tif 000007